(57)【要約】      （修正有）【課題】ガーゼの枚数を数える際に混乱を生じさせにくいガーゼカウントトレーを提供する。【解決手段】トレーは、基台の第１天面から一方向に凹状に形成され、使用済みガーゼを収容可能な空間（収容部）１２を有する有底中空筒部２６を備える。有底中空筒部２６を形成する筒状の内壁３０、径内方向に突き出す凸状部３５を有する。凸状部３５は、緩慢な第１斜面３１と、第１斜面３１の径内端から下降する内壁面３２と、第１斜面３１の上端から下方向に連なり内壁面３２の両端に連なる側壁面３４とを有する。筒状の内壁３０は、凸状部３５の内壁面３２よりも径外方向側で空間１２を仕切る第２斜面４１と、第２斜面４１から下方向に延び空間１２を仕切る第３斜面４２とを有する。筒状の内壁３０は、第２斜面４１から立ち上がり第１天面に連なる起立面５を有する。底壁１７は、凹凸面１８を有する。【選択図】図９
2020146100.tif 000002
【特許請求の範囲】
【請求項１】
薄肉板状のトレー（１，６１）であって、
第１天面（２）を有する基台（２５）と、
前記第１天面から一方向に凹状に形成され、使用済みガーゼを収容可能な空間（１２，６２）を有する有底中空筒部（２６，６６）とを備え、
前記有底中空筒部は、筒状の内壁（３０，３１，３２，３４，４１，４２，６８）と、前記筒状の内壁の一端を塞ぐ底壁（１７）とからなり、
前記筒状の内壁は、径内方向に突き出す凸状部（３５）を有し、
環状に配設される複数の前記凸状部と前記底壁とは、前記空間を形成し、
前記凸状部を径外方向に押圧すると、前記凸状部が陥没し、前記空間の容積が増大可能なガーゼカウント用トレー。
【請求項２】
前記凸状部は、緩慢な第１斜面（３１）と、前記第１斜面の径内端から下降する内壁面（３２）と、前記第１斜面の上端から下方向に連なり前記内壁面の両端に連なる側壁面（３４）とを有する請求項１記載のガーゼカウント用トレー。
【請求項３】
前記筒状の内壁は、前記凸状部の前記内壁面よりも径外方向側で前記空間を仕切る第２斜面（４１）と、前記第２斜面から下方向に延び前記空間を仕切る第３斜面（４２）とを有する請求項１または請求項２記載のガーゼカウント用トレー。
【請求項４】
前記筒状の内壁は、前記第２斜面から立ち上がり前記第１天面に連なる起立面（５）を有する請求項３に記載のガーゼカウント用トレー。
【請求項５】
前記底壁は、凹凸面（１８）を有する請求項１から４のいずれか一項に記載のガーゼカウント用トレー。
【請求項６】
前記有底中空筒部は、前記空間の開口部側（１３）から底部側（１４）に形成される複数のリブ（１５）と、複数の前記リブの間に配され、径内方向に突き出す側面部（１６）とを有する請求項１から５のいずれか一項に記載のガーゼカウント用トレー。
【請求項７】
前記筒状の内壁は、前記底壁から開口に向かって、内径の寸法が大きくなる、テーパー状に形成される請求項１から６のいずれか一項に記載のガーゼカウント用トレー。
【発明の詳細な説明】
【技術分野】
【０００１】
本発明は、ガーゼカウント用トレーに関する。
【背景技術】
【０００２】
ガーゼカウント用トレーは、医療の手術中もしくは手術後に、使用済ガーゼを回収し、使用したガーゼの枚数を数え、ガーゼに吸収された出血量を測定するために用いる用具である。手術時のガーゼ使用枚数と回収枚数の一致を確認することで、ガーゼを患者の体内に残したままにするなどの遺残事故を防止する。また、手術前にも、使用するガーゼの枚数の確認を確実にするために、ガーゼカウント用トレーにガーゼを入れて滅菌して使用することもできる。
たとえば、特許文献１では、平面方形の板に断面略Ｕ字状の窪み部が複数個縦横に形成されているガーゼカウント用トレーを提示している。このガーゼカウント用トレーは、個々の窪み部に使用済みのガーゼを１枚ずつ入れ、枚数を数えることで、遺残事故を防止しようとするものである。
【先行技術文献】
【特許文献】
【０００３】
【特許文献１】実公平０７−０４９９２９号公報
【発明の概要】
【発明が解決しようとする課題】
【０００４】
従来のガーゼカウント用トレーを使用すると、たとえば血液や体液を含んだ使用済みガーゼを窪み部に入れるとき、ガーゼが膨らみ体積が増大すると、窪み部がガーゼを押し戻すことがある。また、濡れていないガーゼであっても丸めても元に戻ろうとする力が強い。つまり、同じ大きさの１枚のガーゼであっても、窪み部にガーゼを入れたとき、ガーゼの一部が窪み部からはみ出るものと、はみ出ないものとが生じやすい。すると、ガーゼを窪み部に入れたときの状態が窪み部からはみ出たもののガーゼの枚数を、「１枚」と判断することが困難となり、使用済みガーゼの枚数を数え間違えることがある。数え間違いにより使用済みガーゼの枚数に過不足が見つかると、その過不足の原因が究明されるまで手術を終了できず、患者の身体に多大な負担がかかると同時に、医療従事者はその究明に奔走しなければならず、時間や労力を費やすことになる。
【０００５】
本発明の目的は、ガーゼの枚数を数える際に混乱を生じさせにくいガーゼカウント用トレーを提供することである。
【課題を解決するための手段】
【０００６】
本発明は、薄肉板状のトレーであって、天面を有する基台と、この天面から一方向に凹状に形成され、使用済みガーゼを収容可能な空間を有する有底中空筒部とを備え、有底中空筒部は、筒状の内壁と、前記筒状の内壁の一端を塞ぐ底壁とからなるガーゼカウント用トレーを提供する。
ガーゼカウント用トレーの前記筒状の内壁は、径内方向に突き出す凸状部を有し、環状に配設される複数の前記凸状部と前記底壁とは、収容部としての前記空間を形成する。
前記凸状部を径外方向に押圧すると、前記凸状部が陥没し、前記空間の容積が増大可能である。
このガーゼカウント用トレーは、使用済みのガーゼを収容するための複数個の収容部を有し、ガーゼを収容部に収容する際に、収容部の容積を変えるように、収容部が変形する。
【０００７】
上記の構成を採用したガーゼカウント用トレーは、術後の使用済ガーゼを回収し、枚数を数えるだけでなく、収容部の容積を可変にする構造を有するため、ガーゼの押圧力を受け止め、ガーゼを反発させずに、ガーゼを押し戻し難くする。これにより、収容部に１枚のガーゼが収容された形態を安定にし、使用済みガーゼの枚数を数える際に、数え間違い難くできる。
【図面の簡単な説明】
【０００８】
【図１】本発明の第１実施形態によるガーゼカウント用トレーの斜視図である。
【図２】本発明の第１実施形態によるガーゼカウント用トレーの平面図である。
【図３】本発明の第１実施形態によるガーゼカウント用トレーの底面図である。
【図４】本発明の第１実施形態によるガーゼカウント用トレーの側面図である。
【図５】図２のＶ−Ｖ断面模式図である。
【図６】図２のＶＩ−ＶＩ断面模式図である。
【図７】図６の収容部にガーゼ挿入する前の状態を示す模式図である。
【図８】図６の収容部にガーゼ挿入した後の状態を示す模式図である。
【図９】本発明の第１実施形態の部分切欠要部を示す模式的斜視図である。
【図１０】本発明の第１実施形態を示すもので、（ａ）は有底中空筒部の４分の１模式的要部平面図、（ｂ）は図５に相当する有底中空筒部の４分の１模式的要部縦断面図である。
【図１１】本発明の第１実施形態の形状変化を示すもので、（ａ）はガーゼ挿入前の状態を示す要部底面図、（ｂ）はガーゼ挿入後の状態を示す要部底面図である。
【図１２】本発明の第１実施形態の有底中空筒部の形状変化を示すもので、（ａ）はガーゼ挿入前の状態を示す要部底面図、（ｂ）はガーゼ挿入後の状態を示す要部底面図である。
【図１３】本発明の第１実施形態によるガーゼカウント用トレーを複数重ねた状態を示す図である。
【図１４】本発明の第２実施形態によるガーゼカウント用トレーの平面図である。
【図１５】本発明の第３実施形態によるガーゼカウント用トレーであって、図５に相当する断面模式図である。
【図１６】本発明の第３実施形態によるガーゼカウント用トレーであって、図６に相当する断面模式図である。
【図１７】本発明の第３実施形態の部分切欠要部を示す、図９に相当する模式的斜視図である。
【発明を実施するための形態】
【０００９】
以下、本発明の複数の実施形態を図面に基づいて説明する。複数の異なる実施形態において実質的に同一の構成には同一の符号を付し、説明を省略する。
［第１実施形態］
（構成）
図１から図６、図９及び図１０に示すように、本発明の第１実施形態によるガーゼカウント用トレー１（以下、トレー１）は、使用済みのガーゼを収容するための、板材１１の第１天面２から陥没する１０個の収容部１２を有する。板材１１は、例えばポリプロピレン製である。板材１１の収容部１２は、材料を真空成形等で加工して形成される。収容部１２の第１天面を除く他の各部の厚みは、板材１１の第１天面２の厚みより若干薄いか、略同じ厚みである。
収容部１２の開口に向かう方向は、開口側「１３」と記載し、閉塞側に向かう方向は、底部側「１４」と記載する。また、収容部１２の開口側１３から底部側１４へと渡る方向と直交する方向は、「径方向」である。
【００１０】
収容部１２は、１枚の板材１１に２列×５セット並べて１０個形成されている。トレー１は、基本形が同じ形状の１０個の収容部１２を有している。
次に、トレー１の有底中空筒部２６について、図１から図４と図９と図１０に基づいて、詳述する。図１０において、（ａ）は図９のａ方向矢視の４分の１部分図、（ｂ）は図９の模式的縦断面図を示す。
薄肉板状のトレー１は、第１天面２を有する基台２５と、有底中空筒部２６とを備える。有底中空筒部２６は、基本形が筒状で底部側に行くにしたがい僅かに内径が小さくなる形状である。
有底中空筒部２６は、第１天面２から一方向に凹状に形成され、使用済みガーゼを収容可能な空間（収容部）１２を有する。有底中空筒部２６は、筒状の内壁３０と、筒状の内壁３０の一端を塞ぐ底壁１７とからなる。筒状の内壁３０は、径内方向に突き出す凸状部３５を周方向に等間隔で４個有する。
凸状部３５は、緩慢な第１斜面３１と、第１斜面３１の径内端から下降する内壁面３２と、第１斜面３１の上端から下方向に連なり内壁面３２の両端に連なる側壁面３４とを有する。筒状の内壁３０は、凸状部３５の内壁面３２よりも径外方向側で空間１２を仕切る第２斜面４１と、第２斜面４１から下方向に延び空間１２を仕切る第３斜面４２とを有する。筒状の内壁３０は、第２斜面４１から立ち上がり第１天面２に連なる起立面５を有する。底壁１７は、凹凸面１８を有する。これにより、有底中空筒部２６の底部の剛性を高めている。
【００１１】
図５、図６に示すように、４本のリブ１５は、個々の収容部１２の側面の開口側１３から底部側１４に渡って形成されている。リブ１５は収容部１２の側面の周方向に等間隔に形成されている。リブ１５の間には、収容部１２の側面となる側面部１６を有している。「リブ」は、支柱のようなもので、板状の部材にたとえば直線状に折り曲げ部を形成することで、その直線状の部分を強化するものである。本実施の形態では、板材１１に断面が半円の折り曲げ部を形成することで、リブ１５を形成している。
【００１２】
個々のリブ１５は、開口側リブ１５１と、底部側リブ１５２を有している。開口側リブ１５１は、底部側リブ１５２よりも若干幅広である。開口側リブ１５１は、開口側１３に配置されている。そして、底部側１４に、開口側リブ１５１と繋がる底部側リブ１５２が設けられている。個々の底部側リブ１５２は、略平行に配置されている。そして、開口側リブ１５１は、底部側リブ１５２と繋がり、開口側１３に向かうほど径外方向へ向かっている。すなわち、開口側リブ１５１と、底部側リブ１５２との境界部１５３は、屈曲している。
【００１３】
個々の側面部１６は、開口側側面部１６１と、底部側側面部１６２を有している。開口側側面部１６１は、開口側１３に配置されている。そして、底部側１４に、開口側側面部１６１と繋がる底部側側面部１６２が設けられている。個々の底部側側面部１６２は、略平行に配置されている。そして、開口側側面部１６１は、底部側側面部１６２と繋がり、開口側１３に向かうほど径方向の外方へ向かっている。すなわち、開口側側面部１６１と、底部側側面部１６２との境界部１６３は、屈曲している。側面部１６の境界部１６３は、リブ１５の境界部１５３よりも開口側１３にある。
【００１４】
収容部１２の構成を、開口側１３から底部側１４の、４つの空間に分けて説明する。図４から図６に示すように、４つの空間である第１の空間２１、第２の空間２２、第３の空間２３、第４の空間２４の開口側１３から底部側１４の範囲を示す。なお、トレー１の材質であるポリプロピレン製の板材１１は薄肉であるため、収容部１２の形状に、ポリプロピレン製の板厚に起因する表裏の形状の違いは殆ど無い。言い換えると、収容部１２の内壁の形状は、外壁の形状と殆ど変わらない。
【００１５】
まず、収容部１２の開口側１３から最も近い第１の空間２１を説明する。図３に示すように、第１の空間２１は、４隅の隅部２１１，２１２，２１３，２１４のうちの３つの隅部２１１，２１２，２１３が丸みＲ１を有し、残りの４隅のうちの１つの隅部２１４は、丸みＲ２とする扁平な四角柱状である。ここで、Ｒ２は、第１の空間２１の扁平な四角柱状の形状の一辺の長さを直径とする円の曲線の丸みである。なお、Ｒ２＞Ｒ１である。第１の空間２１の４隅の隅部２１１，２１２，２１３，２１４等の符号は、図３の紙面左下の収容部１２にのみ付したが、他の収容部１２についても同様である。ただし、図３の紙面左列の収容部１２は、隅部２１４に相当する隅部が左下にあるが、図３の紙面右列の収容部１２は、隅部２１４に相当する隅が右下にある。
【００１６】
次に、第１の空間２１よりも収容部１２の底部側１４にあり、第１の空間２１と隣接する第２の空間２２は、開口側１３から底部側１４に向かって径が小さくなる円錐台状である。第２の空間２２の円錐台状の直径が最も大きくなる円の丸みは、前述のＲ２と等しい。また、第２の空間２２における側面部１６は、開口側側面部１６１の全範囲である。また、第２の空間２２におけるリブ１５は、開口側リブ１５１の一部である。開口側リブ１５１は、この第２の空間２２および後述する第３の空間２３に渡って形成されている。開口側リブ１５１は、前述の円錐台状の周面に、断面が半円の折り曲げ部の半円部分の深さが、開口側１３に向かうほど深く、底部側１４に向かうほど浅く形成されている。また、開口側側面部１６１は、開口側リブ１５１以外の円錐台状の周面である。第２の空間２２の開口側リブ１５１、および開口側側面部１６１等の符号は、図２および図３の中では、図３の紙面左最上の収容部１２にのみ付したが、他の収容部１２についても同様である。
【００１７】
次に、第２の空間２２と隣接する第３の空間２３は、第２の空間２２よりも収容部１２の底部側１４にあり、また、開口側リブ１５１のうち底部側１４の範囲を占め、最も底部側１４は、境界部１５３の位置である。第３の空間２３の開口側リブ１５１および底部側側面部１６２等の符号は、図２および図３の中では、図３の紙面右最下の収容部１２にのみ付したが、他の収容部１２についても同様である。
【００１８】
次に、第３の空間２３よりも収容部１２の底部側１４にあり、第３の空間２３と隣接する第４の空間２４は、底部側側面部１６２の約２／３の長さの範囲を占め、リブ１５については、底部側リブ１５２の長さの全範囲を占めている。底面部（底壁）１７には、その中央に収容部１２に向かうように凸形状に加工された十字部１８（凹凸面）が形成されている。
トレー１の構成要素のうち、収容部１２以外の部分を説明する。板材１１の端部は、板材１１から底部側１４に略直角に屈曲している第１屈曲面１１１を有している。そして、第１屈曲面１１１よりも更に端部は、径方向かつ略直角に屈曲している第２屈曲面１１２を有している。第１屈曲面１１１には、個々の収容部１２の境界位置に半円柱の周面で第１凹部１１３を有している。さらに４つの収容部１２に囲われた十字状部は、板材１１よりも若干底部側１４に凹んでいる第２凹部１１４を有している。この第２凹部１１４が、上述の第１の空間２１のうち、最も開口側１３にある。
図７及び図８に示すように、トレーの空間１２にガーゼ２０を挿入するとき、凸状部３５を径外方向に押圧すると、凸状部３５が塑性変形により陥没し、環状に周方向に等間隔に配設される４個の凸状部３５と底壁１７とで形成される空間１２は、容積ｖ１から容積ｖ２に増大する。
外部からみると、図１１（ａ）及び図１２（ａ）に示すように、ガーゼ挿入前、有底中空筒部２６を構成する内壁のうち、特に、内壁面３２、側壁面３４が基本形筒状で底部側１４の方向に僅かに先細り状になっている。
ガーゼを挿入すると、図１１（ｂ）及び図１２（ｂ）に示すように、有底中空筒部２６を構成する内壁のうち、特に、内壁面３２、側壁面３４が開口側１３と底部側１４との間の中央部が径外方向に拡大し、側面部１６が基本紡錘形状に変形する。
図１２に示すように、側面部１６が基本形底部側に行くにしたがい内径が小さくなる円筒形状から中央で径外方向に拡がる紡錘状に変形する。
【００１９】
（トレー１の形状のテーパー加工部分）
次に、図５および図６を用いて、テーパー加工部分を説明する。
まず、底部側側面部１６２は、底部側１４から開口側１３に向かって径外方向に拡がる若干のテーパー状とされている。開口側側面部１６１は、円錐台状の周面であるが故に、底部側１４から開口側に向かって径外方向に大きく拡がるテーパー状である。
また、開口側リブ１５１も、底部側１４から開口側１３に向かって径外方向に拡がるテーパー状である。底部側リブ１５２も、底部側１４から開口側に向かって若干のテーパー状とされている。
さらに、第１の空間２１の周面１９、および図１から図４に示す第１屈曲面１１１も、底部側１４から開口側に向かって若干のテーパー状とされている。
【００２０】
（トレー１の使用法と動作）
トレーの使用時、トレー１の収容部１２に使用済みガーゼを挿入する。その際、個々の収容部１２の側面部１６は、使用済みガーゼを収容する際に、変形する。この変形は、主に個々の収容部１２の側面部１６の一部が、内側から押し広げられるように、且つ収容部の容積を変更するような変形である。図７および図８に示すように、個々の収容部１２の側面部１６は、ポリプロピレンの可撓性等により、若干径方向へ押し広げられながら、変形する。このとき、個々の収容部１２は、４本のリブ１５を辺とした、四角柱に近い形状になるように変形することもある。この変形により、使用済みガーゼ２０を収容する際には、個々の収容部１２の容積が若干大きくなる。図８に示すように、使用済みガーゼ２０を収容する際には、４本のリブ１５は、若干径外方向へ広がるように変形する。開口側リブ１５１が、底部側リブ１５２よりも若干幅広とすることにより、また、開口側側面部１６１を、円錐台状の周面とすることにより、強度を高める。
図９及び図１０に示すように、有底中空筒部２６の収容部１２に使用済みガーゼを挿入すると、凸状部３５を形成する第１斜面３１、内壁面３２、側壁面３４、第２斜面４１、第３斜面４２が径外方向に押圧され、有底中空筒部２６が径外方向に拡開し、収容部１２の空間容積Ｖが増大する。
【００２１】
（効果）
上記の構成を採用したトレーによると、手術の際に患者の体内から取り出された使用済のガーゼがトレー１の収容部１２に挿入されるとき、トレー１に並ぶ複数の収容部のうちの一個の収容部に対し１枚の使用済のガーゼが挿入される。たとえば、収容部１２に３０ｃｍ×３０ｃｍの使用済みガーゼ２０を１枚、押圧しながら挿入すると、その使用済みガーゼ２０は、略第３の空間２３および第４の空間２４を密に満たす。
このとき、１個の収容部１２に１枚の使用済ガーゼが挿入されると、凸状部３５が使用済みガーゼ２０の押圧力を受け止め、使用済みガーゼ２０を反発させずに、収容部１２に収容し、有底中空筒部２６の変形分だけ使用済みガーゼ２０を押し戻し難くする。そのため、収容部１２に使用済みガーゼ２０が収容された形態を一定に保つことができる。
したがって、医療従事者によりガーゼが挿入されるとき、１個の収容部に１枚のガーゼが安定して挿入され、２枚目のガーゼを誤って重ねて挿入され難くなる。
このガーゼカウント用トレーを使用すると、血液や体液をたっぷり含んだ、使用済みガーゼを挿入する際には、その押圧により大きく変化した容積の有底中空筒部２６にガーゼが保たれ、血液や体液が有底中空筒部２６の内部に保たれ、逆戻り噴出が抑制される。
また手術後、トレー１内の使用済みガーゼ２０の枚数を数える際、トレー１に入った使用済ガーゼの枚数を計算するとき枚数の計算間違いなどの混乱を生じさせ難くできる。
乾いたガーゼの場合、ガーゼのふわふわした容積が相対的に大きいが、トレーに挿入すると、緩慢な斜面の径内方向端の位置が径外方向に拡大するよりも、内壁面３２の径外方向への広がりのほうが相対的に大きい。図８から図１１に示すように、有底中空筒部２６の収容部１２に使用済みガーゼを挿入すると、凸状部３５を形成する第１斜面３１、内壁面３２、側壁面３４、第２斜面４１、第３斜面４２が径外方向に押圧され、有底中空筒部２６が径外方向に拡開し、収容部１２の空間容積Ｖが増大する。有底中空筒部２６の外観は、巾着状に拡がる。有底中空筒部２６の内壁面３２が紡錘状に変形することで、挿入口側のガーゼの飛び出しを抑制し、ガーゼの容積を抱擁するように変形する。これにより、トレー１の収容部１２に挿入されたガーゼ枚の数について１枚と２枚とを間違え難い。
【００２２】
この使用済みガーゼ２０の収容部１２への挿入状態は、血液または体液で湿っている使用済みガーゼ２０は乾いているガーゼよりも相対的に体積は小さいが、誤って２枚の使用済みガーゼ２０を１つの収容部１２へ挿入しようとした場合には、収納部１２に安定して収まりきらずはみ出してしまうため使用済みガーゼ２０の枚数を数える際に、数え間違いや混乱を生じさせ難い。
【００２３】
トレー１は、リブ１５を有している。これにより、リブ１５が支柱の役割をするため、トレーの強度が増し、トレー１の手術の際のガーゼ挿入時およびガーゼ枚数計算時の取り扱いが安定する。
【００２４】
トレー１は、底面部１７（底壁）が、平坦状である。そのため、トレー１を机の上等に置いた状態で、片手操作で使用済みガーゼ２０を収容部１２に入れることができる。また、使用済みガーゼを挿入したトレー１を積み重ねた際にも、底面部１７の接地面が広く、安定性が良好である。
【００２５】
また、トレー１の開口側リブ１５１の部分は、開口側１３に向かうに従って、径外方向に拡がるテーパー状になっている。そのため、開口側リブ１５１は、前述の半円部分が隙間となり、略平行に配置されている底部側側面部１６２に比べて、使用済みガーゼ２０の押圧力を受けにくい。これは、底部側リブ１５２の半円部分についても同様である。したがって、仮に血液または体液を含む使用済みガーゼ２０をトレー１の収容部１２に挿入したとき、底部側リブ１５２から開口側リブ１５１にかかる急激な斜度によって圧力を逃し、血液または体液が開口側１３に噴き出す力を抑制する。
容器の上からみると、一個の収容部に関し十字状に４箇所に形成される開口側リブ１５１および底部側リブ１５２について、各箇所の開口側リブ１５１および底部側リブ１５２の半円部分によって内側に形成された隙間は、収容部の周方向に十字状の４箇所で開口側１３に向かうに従ってテーパー状に径外方向に寸法が大きくなっているため、ガーゼの挿入時、有底中空筒部２６の圧力を解放し、医療従事者の正面に血液または体液が飛散するのを抑制することができる。
【００２６】
また、図１３に示すように、トレー１は、収容部１２の部分を重ね合わせることができる。底部側側面部１６２を含む側面部１６と、底部側リブ１５２を含むリブ１５が、底部側１４から開口側１３に向かってテーパー状とされ、収容部１２の底面部１７を開口側１３に向かって挿入することができる。また、第１の空間２１の周面１９底部側１４から開口側１３に向かってテーパー状とされているため、この部分も重ねることが可能である。また、トレー１を積み重ねて最小限の容積で収納することができ、簡単に大量に持ち運ぶことができる。なお、図１３ではトレー１は、４つ重ねているが、それよりも多い数を重ねることができる。
【００２７】
［第２実施形態］
第２実施形態は、トレーの各収容部に番号を付した例である。図１４に示すように、トレー１の収容部１２の近傍の第２天板３にそれぞれ異なる番号を付し、１０個の収容部に相当する１番から１０番の連続番号からなる文字３０１を刻印し表示してある。個々の収容部１２毎に異なる数字とすることで、収容部１２に収容した使用済みガーゼの数を数えやすくする。
【００２８】
［第３実施形態］
本発明の第３実施形態によるトレーは、図１５と図１６と図１７に示す。
薄肉板状のトレー６１は、第１天面２を有する基台２５と、有底中空筒部６６とを備える。
有底中空筒部６６は、第１天面２から一方向に凹状に形成され、使用済みガーゼを収容可能な空間（収容部）６２を有する。有底中空筒部６６は、筒状の内壁６８と、筒状の内壁６８の一端を塞ぐ底壁１７とからなる。筒状の内壁６８は、径内方向に突き出す凸状部６５を有する。
凸状部６５は、平坦な第３天面４と、第３天面４の径内端から下降する内壁面３２と、第３天面４の上端から下方向に連なり内壁面３２の両端に連なる側壁面３４とを有する。筒状の内壁６８は、凸状部６５の内壁面３２よりも径外方向側で空間６２を仕切る第２斜面４１と、第２斜面４１から下方向に延び空間６２を仕切る第３斜面４２とを有する。筒状の内壁６８は、第２斜面４１から立ち上がり第１天面２に連なる起立面５を有する。底壁１７は、凹凸面１８を有する。これにより、有底中空筒部６６の底部の剛性を高めている。
有底中空筒部６６は、内部の空間容積を可変とする構造を有している。環状に等間隔に配設される４個の凸状部６５と底壁１７とで形成される空間６２は、凸状部６５を径外方向に押圧すると、凸状部６５が塑性変形により陥没し、第３天面４、内壁面３２、側壁面３４、第２斜面４１、第３斜面４２が拡開し、内部空間の容積Ｖが増大する。
このトレーによると、手術後の使用済ガーゼを回収し、収容部にガーゼが収容される形態を安定にし、使用済みガーゼの枚数を数える際に数え間違えを生じさせ難くできる。したがって、使用済ガーゼを１枚ずつカウントし、枚数の不一致に対する不安を軽減する。
【００２９】
［他の実施形態］
本発明の第１実施形態のトレーの個々の収容部は、リブを有している。トレーの個々の収容部１２は、リブ１５の本数を４本としているが、本発明の他の実施形態のリブの本数は２本、３本、または５本等、他の本数であっても良い。また、トレーの個々の収容部は、リブを等間隔に配置しているが、非等間隔に配置しても良い。また、開口側リブは、底部側リブよりも若干幅広としているが、底部側リブと同じ幅寸法または、開口側リブが、底部側リブ１５２よりも幅寸法が狭い構成を採用しても良い。
【００３０】
本発明の第１実施形態のトレーの収容部１２は、１枚の板材１１に２列×５セット並べて１０個形成されている。本発明のトレーの収容部は、２列×５セットに限らず、４列×５セットでも４列×６セットでもよく、１個のトレーについて収容部の個数は限らない。
また、トレーの材質は、ポリプロピレン製としたが、他の材質、たとえばポリエチレン、ポリエチレンテレフタレートまたはゴム等を用いても良い。また、リブの材質だけを異ならせる等、一部の部位をその他の部位とは材質を異ならせることとしても良い。また、トレーは、真空成形で成形したが、圧空成形、射出成形、その他の成形方法を採用して形成しても良い。
【００３１】
トレーの底面部は、たとえば膨らんだ形状、または凹んだ形状等の、平坦状でない形状であっても良い。
本発明のガーゼカウント用トレーに適用できるガーゼの材料については、綿、ウレタン、樹脂に限らず、体液を吸収するその他の材料であってもよい。ガーゼの大きさ、形状については、第１実施形態では、３０ｃｍの正方形状のガーゼを使用した例について説明したが、本発明に適用できるガーゼの大きさ、形状は限られず、たとえば短冊状のガーゼを使用しても良い。
【００３２】
本発明の第１実施形態は、底部側側面部１６２、開口側側面部１６１、開口側リブ１５１、底部側リブ１５２、周面１９、および第１屈曲面１１１は、底部側１４から開口側１３に向かってテーパー状とされている。
【００３３】
以上、本発明はこのような実施形態に限定されるものではなく、その要旨を逸脱しない範囲で種々の形態で実施可能である。
【符号の説明】
【００３４】
１，６１                        トレー（ガーゼカウント用トレー）
１１                            板材
１２，６２                      空間（収容部）
１３                            開口側
１４                            底部側
１５                            リブ
１６                            側面部
１７                            底面部（底壁）
１８                            凹凸面（十字部）
２                              第１天面
２０                            ガーゼ（使用済みガーゼ）
２５                            基台
２６，６６                      有底中空筒部
３０，６８                      筒状の内壁
３１                            第１斜面（筒状の内壁）
３２                            内壁面（筒状の内壁）
３４                            側壁面（筒状の内壁）
３５                            凸状部
４１                            第２斜面（筒状の内壁）
４２                            第３斜面（筒状の内壁）
５                              起立面
【図１】
2020146100.tif 000003
【図２】
2020146100.tif 000004
【図３】
2020146100.tif 000005
【図４】
2020146100.tif 000006
【図５】
2020146100.tif 000007
【図６】
2020146100.tif 000008
【図７】
2020146100.tif 000009
【図８】
2020146100.tif 000010
【図９】
2020146100.tif 000011
【図１０】
2020146100.tif 000012
【図１１】
2020146100.tif 000013
【図１２】
2020146100.tif 000014
【図１３】
2020146100.tif 000015
【図１４】
2020146100.tif 000016
【図１５】
2020146100.tif 000017
【図１６】
2020146100.tif 000018
【図１７】
2020146100.tif 000019